(57)【要約】【課題】封止部、ケーブルおよび接合介在部材の耐久性を確保しつつ、これらの接合面において剥離が発生することが防止できる耐環境性に特に優れた電子機器を提供する。【解決手段】電子機器１Ａは、ケース１０と、ケース１０から引き出されたケーブル３０と、接合介在部材４０と、ケーブル３０を保持する筒状のクランプ５０と、ケース１０およびクランプ５０によって規定される内部の空間を充填する封止部６０とを備える。ケーブル３０は、芯線３１と、芯線３１を覆うシース３３とを有し、芯線３１は、ケーブル３０の端部において、シース３３によって覆われることなく露出する。接合介在部材４０は、シース３３および封止部６０に接合する。封止部６０は、エポキシ樹脂からなり、接合介在部材４０は、曲げ弾性率が８０ＭＰａ以上２１０ＭＰａ以下の樹脂にて構成され、ケーブル３０は、吊下げ偏平率が０．３０以上０．７１以下のものにて構成される。【選択図】図３
2017092354.tif 000002
【特許請求の範囲】
【請求項１】
開口部が設けられたケースと、
前記ケースに収容された電子部品と、
前記開口部に挿通されることで一端が前記電子部品に電気的に接続されるとともに、他端が前記ケースの外部に引き出されたケーブルと、
前記ケーブルに取付けられた接合介在部材と、
前記開口部に嵌着されるとともに、前記接合介在部材が嵌着されることで前記ケーブルを保持する筒状のクランプと、
前記ケースおよび前記クランプによって規定される内部の空間を充填する封止部とを備え、
前記ケーブルは、導電線を含む芯線と、前記芯線を覆うシースとを有し、
前記芯線は、前記ケーブルの前記一端側の部分において、前記シースによって覆われることなく露出し、
前記接合介在部材は、前記シースに接合するとともに前記封止部に接合し、
前記封止部が、エポキシ樹脂からなり、
前記接合介在部材が、曲げ弾性率が８０ＭＰａ以上２１０ＭＰａ以下の樹脂にて構成され、
前記ケーブルが、当該ケーブルの全長を５００ｍｍとしてその両端を繋いでループ状に構成するとともに、その内側に棒を挿入して当該棒にこれを吊り下げ、さらにその下端部分に１．５Ｎの荷重を作用させた場合の外形形状における鉛直方向に沿った内径をａとするとともに水平方向に沿った内径をｂとした場合に、（ａ−ｂ）／ａで表わされる吊下げ偏平率が、０．３０以上０．７１以下のものにて構成されている、電子機器。
【請求項２】
前記接合介在部材と前記シースとが、同一の樹脂からなる、請求項１に記載の電子機器。
【請求項３】
前記接合介在部材が、フッ素系樹脂からなる、請求項１に記載の電子機器。
【請求項４】
前記シースが、フッ素系樹脂からなる、請求項１に記載の電子機器。
【請求項５】
前記接合介在部材および前記シースが、いずれもフッ素系樹脂からなる、請求項１に記載の電子機器。
【請求項６】
前記接合介在部材が、前記シースの外周面を覆うことで前記シースに接合する筒状の基部と、前記ケーブルの前記一端側に向けて突出する筒状の突出部とを有し、
前記突出部の内周面および外周面ならびに前記突出部の軸方向における先端側の端面がいずれも前記封止部によって覆われることにより、前記封止部が前記突出部に接合している、請求項１から５のいずれかに記載の電子機器。
【請求項７】
前記接合介在部材が、前記シースに溶着されている、請求項１から６のいずれかに記載の電子機器。
【発明の詳細な説明】
【技術分野】
【０００１】
本発明は、電子機器に関し、特に、ケースの内部の空間が樹脂によって封止されるとともに、当該ケースの内部からケーブルが外部に引き出されてなる電子機器に関する。
【背景技術】
【０００２】
特定の電子機器においては、耐環境性を確保するために、電子部品が収容されたケースの内部の空間がたとえばエポキシ樹脂等の耐久性に優れた樹脂によって封止される。その場合、電力を供給するための電源ケーブルや外部端末に接続するための信号ケーブル等を耐環境性を確保しつつ如何にケースの内部から引き出すかが問題となる。
【０００３】
通常、上述した電源ケーブルや信号ケーブル等のケーブルは、ケースに設けられた開口部に嵌着された弾性変形可能なクランプによって保持されることにより、当該ケーブルに加わるストレスが緩和されるように構成されている。しかしながら、単にクランプによってケーブルを保持したのみの構成では、ケーブルとケースの内部の空間を封止する封止部との間の接合力が十分には確保できず、この接続部において剥離が発生し、結果として耐環境性に劣ることとなってしまう。
【０００４】
そのため、ケーブルと封止部との間の接合力を向上させる方法が種々検討されており、たとえば特開２０１５−１７７０４２号公報（特許文献１）や特開２００９−４３４２９号公報（特許文献２）には、磁界を利用して金属体の有無または位置を検出する近接センサにおいて、当該近接センサに具備されるケーブルと封止部との間の接合力を向上させる方法が開示されている。
【０００５】
上記特許文献１に開示の近接センサにおいては、ポリ塩化ビニル（ＰＶＣ）樹脂からなるケーブルの端部を覆うようにポリブチレンテレフタレート（ＰＢＴ）樹脂からなるリングコードがインサート成形によって形成されており、当該リングコードをクランプに圧入した状態で封止部が形成されることにより、このリングコードによってケーブルと封止部との間の接合力が確保されている。
【０００６】
また、上記特許文献２に開示の近接センサにおいては、ケーブルの端部を覆うようにポリウレタン（ＰＵＲ）樹脂およびＰＢＴ樹脂からなる二色成形部材がインサート成形によって形成されており、当該二色成形部材の先端に逆円錐台状の突出部を設け、当該二色成形部材をクランプに圧入した状態で封止部が形成されることにより、この二色成形部材によってケーブルと封止部との間の接合力が確保されている。
【先行技術文献】
【特許文献】
【０００７】
【特許文献１】特開２０１５−１７７０４２号公報
【特許文献２】特開２００９−４３４２９号公報
【発明の概要】
【発明が解決しようとする課題】
【０００８】
上記特許文献１および２に開示の構成は、いずれも、ケーブル自体の耐久性やケーブルと封止部との間の接合を介在する接合介在部材（すなわち、上述したリングコードおよび二色成形部材）自体の耐久性を向上させつつ、封止部と接合介在部材との接合面および接合介在部材とケーブルとの接合面における接合力を高めるように構造的な工夫がなされたものである。
【０００９】
ここで、通常の使用環境下においては、上述した接合面にストレスが加わった場合にも、前述した構造的な工夫による接合力の向上によってこれが直ちに電子機器の破損に繋がることはない。しかしながら、経時的な温度変化が激しくかつ切削油等の油が大量に使用されるような相対的に厳しい環境下においては、上述した構成では剥離が発生することを防止するのに十分な接合力が得られず、当該ストレスによって接合面において剥離が発生してしまい、当該剥離が発生した部分から水分や油分、薬液等の液体が侵入して導電部位に達することで電子機器が破損してしまう場合があった。
【００１０】
したがって、本発明は、上述した問題を解決すべくなされたものであり、封止部、ケーブルおよび接合介在部材の耐久性を確保しつつ、これらの接合面において剥離が発生することが防止できる耐環境性に特に優れた電子機器を提供することを目的とする。
【課題を解決するための手段】
【００１１】
本発明者らは、ケースの内部の空間が樹脂によって封止されるとともに、当該ケースの内部からケーブルが外部に引き出されてなる電子機器において、封止部、接合介在部材およびケーブルの耐久性やこれらの接合面における接合力が、いずれもこれら封止部、接合介在部材およびケーブル自体の硬さ（柔らかさ）に相関があることに着目し、本発明を完成させるに至った。
【００１２】
すなわち、本発明に基づく電子機器は、開口部が設けられたケースと、上記ケースに収容された電子部品と、上記開口部に挿通されることで一端が上記電子部品に電気的に接続されるとともに、他端が上記ケースの外部に引き出されたケーブルと、上記ケーブルに取付けられた接合介在部材と、上記開口部に嵌着されるとともに、上記接合介在部材が嵌着されることで上記ケーブルを保持する筒状のクランプと、上記ケースおよび上記クランプによって規定される内部の空間を充填する封止部とを備えている。上記ケーブルは、導電線を含む芯線と、上記芯線を覆うシースとを有し、上記芯線は、上記ケーブルの上記一端側の部分において、上記シースによって覆われることなく露出している。上記接合介在部材は、上記シースに接合するとともに上記封止部に接合している。上記封止部は、エポキシ樹脂からなり、上記接合介在部材は、曲げ弾性率が８０ＭＰａ以上２１０ＭＰａ以下の樹脂にて構成されている。上記ケーブルは、当該ケーブルの全長を５００ｍｍとしてその両端を繋いでループ状に構成するとともに、その内側に棒を挿入して当該棒にこれを吊り下げ、さらにその下端部分に１．５Ｎの荷重を作用させた場合の外形形状における鉛直方向に沿った内径をａとするとともに水平方向に沿った内径をｂとした場合に、（ａ−ｂ）／ａで表わされる吊下げ偏平率が、０．３０以上０．７１以下のものにて構成されている。
【００１３】
このように、接合介在部材を曲げ弾性率が８０ＭＰａ以上２１０ＭＰａ以下の樹脂にて構成するとともに、ケーブルを吊下げ偏平率が０．３０以上０．７１以下のものにて構成することにより、接合介在部材およびケーブルが適度な硬さの部材にて構成されるため、水分のみならず油分や薬液等の液体が浸透し難い高い耐久性を備えた接合介在部材およびケーブルとすることができる。また、封止部をエポキシ樹脂にて構成するとともに、接合介在部材を曲げ弾性率が８０ＭＰａ以上２１０ＭＰａ以下の樹脂にて構成し、かつ、ケーブルを吊下げ偏平率が０．３０以上０．７１以下のものにて構成することにより、接合介在部材が適度な柔らかさの部材にて構成されるため、封止部と接合介在部材との接合面および接合介在部材とケーブルとの接合面において十分な接合力が得られることになり、これら接合面において剥離が発生することが防止できる。したがって、封止部、ケーブルおよび接合介在部材の耐久性を確保しつつ、これらの接合面において剥離が発生することが防止できる耐環境性に特に優れた電子機器とすることができる。
【００１４】
上記本発明に基づく電子機器にあっては、上記接合介在部材と上記シースとが、同一の樹脂からなることが好ましい。
【００１５】
このように、接合介在部材と上記シースとを同一の樹脂にて構成することにより、容易に接合介在部材をケーブルに接合することができるとともに、これらの接合に際して明確な界面が形成されないこととなって当該部分において剥離が発生し難くなる効果が得られる。
【００１６】
上記本発明に基づく電子機器にあっては、上記接合介在部材が、フッ素系樹脂からなることが好ましい。
【００１７】
接合介在部材をフッ素系樹脂にて構成することにより、接合介在部材に水分のみならず油分や薬液等の液体が浸透し難い高い耐久性をもたせることが可能になる。
【００１８】
上記本発明に基づく電子機器にあっては、上記シースが、フッ素系樹脂からなることが好ましい。
【００１９】
このように、ケーブルのシースをフッ素系樹脂にて構成することにより、ケーブルに水分のみならず油分や薬液等の液体が浸透し難い高い耐久性をもたせることが可能になる。
【００２０】
上記本発明に基づく電子機器にあっては、上記接合介在部材および上記シースが、いずれもフッ素系樹脂からなることが好ましい。
【００２１】
このように、接合介在部材およびケーブルのシースをフッ素系樹脂にて構成することにより、接合介在部材およびケーブルに水分のみならず油分や薬液等の液体が浸透し難い高い耐久性をもたせることが可能になるとともに、これらの接合に際して明確な界面が形成されないこととなって当該部分において剥離が発生し難くなる効果が得られる。
【００２２】
上記本発明に基づく電子機器にあっては、上記接合介在部材が、上記シースの外周面を覆うことで上記シースに接合する筒状の基部と、上記ケーブルの上記一端側に向けて突出する筒状の突出部とを有していることが好ましく、その場合に、上記突出部の内周面および外周面ならびに上記突出部の軸方向における先端側の端面がいずれも上記封止部によって覆われることにより、上記封止部が上記突出部に接合していることが好ましい。
【００２３】
このように、接合介在部材に筒状の突出部を設けるとともに、当該突出部の内周面および外周面ならびに突出部の軸方向における先端側の端面をいずれも封止部によって覆うことにより、封止部の接合介在部材側の端部における封止部の樹脂量が減少するため、封止部の硬化時において発生する残留応力の低減が図られるとともに、環境温度の変化に伴う封止部の膨張および収縮の際に、突出部が追従して弾性的に変形することとなって内部に発生する応力が大幅に緩和されることになる。したがって、ケーブルと封止部との間の接合力を高く確保することができるため、耐環境性に優れた電子機器とすることができる。
【００２４】
上記本発明に基づく電子機器にあっては、上記接合介在部材が、上記シースに溶着されていてもよい。
【００２５】
このように、接合介在部材をシースに溶着することにより、容易に接合介在部材をケーブルに接合することができるとともに、これらの表面が溶融することで接合介在部材とシースとが一体化し、これらの間に明確な界面が形成されないことによって当該部分において剥離が発生し難くなる効果が得られる。
【発明の効果】
【００２６】
本発明によれば、封止部、ケーブルおよび接合介在部材の耐久性を確保しつつ、これらの接合面において剥離が発生することが防止できる耐環境性に特に優れた電子機器を提供することが可能になる。
【図面の簡単な説明】
【００２７】
【図１】本発明の実施の形態１における近接センサの斜視図である。
【図２】図１に示すＩＩ−ＩＩ線に沿った断面図である。
【図３】図２に示す領域ＩＩＩの拡大断面図である。
【図４】図１に示すケーブルおよびこれに固定された接合介在部材の概略斜視図である。
【図５】ケーブルの吊下げ偏平率の測定方法を説明するための模式図である。
【図６】本発明の実施の形態１における近接センサの製造方法を説明するためのフロー図である。
【図７】本発明の実施の形態１における近接センサの製造方法を説明するため組付け図である。
【図８】本発明の実施の形態１における近接センサにおいて、ケースに対するケーブルの接続部において高い接合力が確保できる理由を説明するための模式断面図ならびに接合介在部材が固定されたケーブルの正面図である。
【図９】図８に示す領域ＩＸの拡大断面図である。
【図１０】第１変形例に係る近接センサの要部拡大断面図である。
【図１１】第２変形例に係る近接センサの要部拡大断面図である。
【図１２】第３変形例に係る近接センサの要部拡大断面図である。
【図１３】第４変形例に係る近接センサの要部拡大断面図である。
【図１４】第５変形例に係る近接センサの要部拡大断面図である。
【図１５】本発明の実施の形態２における近接センサの製造方法を説明するためのフロー図である。
【図１６】本発明の実施の形態２における近接センサの製造方法を説明するため組付け図である。
【図１７】検証試験の試験条件および試験結果を示す表である。
【発明を実施するための形態】
【００２８】
以下、本発明の実施の形態について、図を参照して詳細に説明する。以下に示す実施の形態においては、本発明を近接センサに適用した場合を例示して説明を行なう。なお、以下に示す実施の形態においては、同一のまたは共通する部分について図中同一の符号を付し、その説明は繰り返さない。
【００２９】
（実施の形態１）
図１は、本発明の実施の形態１における近接センサの斜視図であり、図２は、図１に示すＩＩ−ＩＩ線に沿った断面図である。図３は、図２に示す領域ＩＩＩの拡大断面図であり、図４は、図１に示すケーブルおよびこれに固定された接合介在部材の概略斜視図である。また、図５は、ケーブルの吊下げ偏平率の測定方法を説明するための模式図である。まず、これら図１から図５を参照して、本実施の形態における近接センサ１Ａの構成について説明する。
【００３０】
図１および図２に示すように、本実施の形態における電子機器としての近接センサ１Ａは、略円柱状の外形を有しており、ケース１０と、第１封止部２６を含む検知部組立体２０と、ケーブル３０と、接合介在部材４０と、クランプ５０と、第２封止部６０とを備えている。
【００３１】
ケース１０は、両端開口の金属製の長尺円筒状の部材からなり、軸方向に前端部および後端部を有している。ケース１０の前端部には、検知部組立体２０が組付けられており、ケース１０の後端部には、クランプ５０が組付けられている。
【００３２】
図２に示すように、検知部組立体２０は、コア２１と、検知コイル２２と、コイルケース２３と、回路基板２４と、第１封止部２６とを主として有している。
【００３３】
コア２１は、磁性材料にて構成された短尺円柱状の部材からなる。検知コイル２２は、たとえばリード線を巻き回すことによって略円筒状に構成されており、コア２１の前端面に設けられた環状凹部に収容されている。なお、コア２１の後端面には、回路基板２４の先端部を支持する支持溝２１ａが設けられている。
【００３４】
コイルケース２３は、有底円筒状の絶縁性の部材からなり、その内部にコア２１および検知コイル２２が収容されている。コア２１は、その前端面がコイルケース２３の底部に当接している。コイルケース２３は、その底部がケース１０の前端に位置した状態となるようにケース１０に圧入されて固定されている。
【００３５】
回路基板２４は、ケース１０の軸方向に沿って延在するようにコア２１の後方に配置されている。回路基板２４は、その表裏面に導電パターンが形成されており、それら表裏面の所定位置には、各種の電子部品２５ａ〜２５ｃ等が実装されている。当該回路基板２４には、上述した検知コイル２２の端部に取付けられたピンを介して検知コイル２２が電気的に接続されている。
【００３６】
ここで、回路基板２４に実装された各種の電子部品２５ａ〜２５ｃのうち、回路基板２４の後端部に実装された電子部品２５ｃは、通電されることで発光する発光素子である。当該発光素子は、近接センサ１Ａの動作状態に応じて発光するものであり、たとえばＬＥＤ（Light Emitting Diode）にて構成されている。
【００３７】
回路基板２４には、各種の処理回路が形成されている。処理回路としては、検知コイル２２を共振回路要素とする発振回路や、発振回路の発振振幅を閾値と比較して２値化する弁別回路が含まれる。また、回路基板２４には、弁別回路の出力を所定の仕様の電圧出力または電流出力に変換する出力回路や、外部から導入される電力を所定の電源仕様に変換して出力する電源回路も設けられている。加えて、回路基板２４には、上述した発光素子である電子部品２５ｃの駆動を制御する発光素子駆動回路も設けられている。
【００３８】
これら各種の回路は、回路基板２４に設けられた導電パターンと、上述した各種の電子部品２５ａ〜２５ｃ等および検知コイル２２等とによって構成されている。
【００３９】
第１封止部２６は、コイルケース２３に収容されたコア２１および検知コイル２２ならびに回路基板２４の前端部を封止している。第１封止部２６は、コア２１および検知コイル２２ならびに回路基板２４の前端部を保護するとともに、これらを外部から気密および液密に封止するものである。
【００４０】
第１封止部２６は、液状樹脂をコイルケース２３に注入して硬化させることによって形成されるものである。なお、この第１封止部２６の材料としては、たとえばエポキシ樹脂やＰＵＲ樹脂等が好適に利用できる。
【００４１】
回路基板２４の後端部の所定位置には、後述するケーブル３０の芯線３１に含まれる導電線３１ａが接続されるランド２４ａが設けられている。これらランド２４ａと導電線３１ａとの接続には、たとえば図示しない半田が用いられる。
【００４２】
ケーブル３０は、導電線３１ａを含む芯線３１と、当該芯線３１を覆うシールド材３２およびシース３３とからなる複合ケーブルにて構成されている。ケーブル３０は、ケース１０に設けられた後端側の開口部に挿通するように配置されており、一端が上述した回路基板２４に接続されることで上述した各種の回路に電気的に接続されるとともに、他端が外部に引き出されている。ケーブル３０は、後述する所定の吊下げ偏平率を有するものからなる。なお、シース３３は、樹脂製であり、より好適には、フッ素系樹脂にて構成される。
【００４３】
ここで、ケーブル３０の上述した一端においては、芯線３１が露出することとなるようにシールド材３２およびシース３３が剥がされており、芯線３１のランド２４ａに接続される部分においては、さらに導電線３１ａが露出することとなるように芯線３１の被覆材も剥がされている。
【００４４】
図２ないし図４に示すように、接合介在部材４０は、ケーブル３０と第２封止部６０との間の接合性を確保するための部材であり、ケーブル３０の上記一端側に位置するシース３３の端部に組付けられている。
【００４５】
接合介在部材４０は、ケース１０およびクランプ５０によって規定される内部の空間においてケーブル３０の上記一端側に位置するシース３３の端部の外周面を覆う円筒状の基部４１と、ケーブル３０の上記一端側に位置するシース３３の端部よりもケーブル３０の上記一端側に位置し、ケーブル３０の延在方向に沿って延びるように突出する筒状の突出部４２とを有している。ケース１０およびクランプ５０によって規定される内部の空間に、少なくとも接合介在部材４０の一部が入るように、接合介在部材４０はケーブル３０に取付けられている。突出部４２は、その厚みが十分に薄く構成されており、好ましくは、基部４１の後述する溶着部４１ａを除く部分（すなわち基部４１の非溶着部）の厚みよりも薄く構成されている。なお、接合介在部材４０は、後述する所定の曲げ弾性率を有する樹脂からなり、より好適には、フッ素系樹脂にて構成される。
【００４６】
ここで、本実施の形態においては、基部４１がケーブル３０の上記一端側に位置するシース３３の端部からさらにケーブル３０の上記一端側に向けて所定長さだけ突出して延在しており、上述した突出部４２は、当該基部４１のシース３３の端部から突出する部分の先端からさらに突出して設けられている。
【００４７】
また、本実施の形態においては、ケーブル３０の延在方向に沿って見た場合に、突出部４２の外形は、基部４１の外形よりも小さく構成されている。このように構成することにより、後述するクランプ５０の構成を簡略化することができ、これに伴ってケース１０に対するケーブル３０の接続部の外形を小型化することができる。
【００４８】
基部４１の後端部には、溶着部４１ａが形成されている。この溶着部４１ａは、接合介在部材４０をケーブル３０に溶着によって固定することで形成された部位であり、当該溶着部４１ａを除く部分の基部４１の厚みよりも薄くなっている。このように、基部４１がシース３３に溶着されることにより、接合介在部材４０がケーブル３０に移動不能に固定されることになる。
【００４９】
突出部４２の外周面の所定位置には、周方向に沿って延びる溝部４３が設けられている。当該溝部４３は、後述する第２封止部６０と接合介在部材４０との間の接合力を高めるために設けられる凹凸部であり、当該溝部４３を突出部４２に設けることにより、いわゆるアンカー効果が得られて上記接合力の向上が図られる。なお、アンカー効果とは、接合面に凹凸を設けることにより、当該凹凸が楔となって接合力が向上する効果である。
【００５０】
図２および図３に示すように、クランプ５０は、略円筒状の形状を有しており、その内部にケーブル３０が挿通されている。クランプ５０は、ケース１０に設けられた後端側の開口部に嵌着されているとともに、当該クランプ５０の後端部に上述した接合介在部材４０が嵌着されることでケーブル３０を保持している。クランプ５０は、弾性変形可能となるように樹脂製の部材にて構成されており、ケーブル３０に加わるストレスおよび接合介在部材４０に加わるストレスを緩和させるためのものである。
【００５１】
より詳細には、クランプ５０は、前端部に位置する円筒状の固定部５１と、後端部に位置する略円筒状の保持部５２と、固定部５１と保持部５２との間に位置し、これら固定部５１と保持部５２とを連結する連結部５３とを含んでいる。
【００５２】
固定部５１は、ケース１０に設けられた後端側の開口部に圧入されることでクランプ５０をケース１０に固定するための部位である。保持部５２は、接合介在部材４０がその内部に圧入されることで接合介在部材４０を保持するための部位である。また、連結部５３は、固定部５１と保持部５２との間の距離を所定距離だけ確保することにより、上述したケーブル３０に加わるストレスおよび接合介在部材４０に加わるストレスの緩和機能を高めるための部位である。
【００５３】
また、連結部５３の所定位置には、第２封止部６０をケース１０およびクランプ５０によって規定される内部の空間に充填するために、当該第２封止部６０となる液状樹脂を注入する際に用いられるゲート５３ａが設けられている。
【００５４】
なお、本実施の形態においては、クランプ５０が非遮光性の樹脂材料にて構成されている。これは、上述した発光素子としての電子部品２５ｃから出射される光を当該クランプ５０を介して外部に投光するためであり、そのため、固定部５１の当該発光素子に面する部分には、所定形状の導光部５３ｂが設けられている。
【００５５】
第２封止部６０は、ケース１０およびクランプ５０によって規定される内部の空間のうち、上述した第１封止部２６によって封止された空間を除く空間を充填している。これにより、回路基板２４の上述した前端部を除く部分、および、当該部分に実装された各種の電子部品２５ａ〜２５ｃ、ならびに、ケーブル３０のシース３３によって覆われていない部分の芯線３１が、第２封止部６０によって封止されている。
【００５６】
当該第２封止部６０は、回路基板２４の上述した前端部を除く部分、および、当該部分に実装された各種の電子部品２５ａ〜２５ｃ、ならびに、ケーブル３０のシース３３によって覆われていない部分の芯線３１を保護するとともに、これらを外部から気密および液密に封止するものである。
【００５７】
第２封止部６０は、上述したようにクランプ５０のゲート５３ａを介して液状樹脂を注入して硬化させることによって形成されるものである。なお、この第２封止部６０の材料としては、エポキシ樹脂が利用される。
【００５８】
ここで、図３に示すように、接合介在部材４０の突出部４２は、その内周面およびその外周面ならびにその軸方向における先端側の端面がいずれも第２封止部６０によって覆われている。これにより、本実施の形態における近接センサ１Ａにおいては、ケーブル３０と第２封止部６０との間の接合力が従来の近接センサに比べてより高く確保されることになるが、その詳細なメカニズムについては、後述することとする。
【００５９】
以上において説明した本実施の形態における近接センサ１Ａにおいては、上述したように第２封止部６０が耐久性の高いエポキシ樹脂にて構成されており、これによりケース１０の内部に収容された各種の電子部品が気密および液密に保護されている。また、本実施の形態における近接センサ１Ａにおいては、上述したケーブル３０および接合介在部材４０が、いずれも、水分のみならず油分や薬液等の液体に対する十分な耐久性を有するとともに、その接合部（すなわち、第２封止部６０と接合介在部材４０との接合面、および、接合介在部材４０とケーブル３０のシース３３との接合面）において十分な接合力が得られるように、適度な硬さ（柔らかさ）の部材にて構成されている。
【００６０】
一般に、樹脂の耐久性の高低は、当該樹脂の架橋密度の大小に相関しており、架橋密度が大きいほど耐久性は高くなり、架橋密度が小さいほど耐久性は低くなる。これは、樹脂を構成する分子鎖同士がより多く架橋されている場合に、液体分子が侵入可能な分子レベルの空間が小さくかつ少なくなるためであり、そのため液体分子が浸透し難くなって結果として耐久性が高まることに起因する。
【００６１】
また、樹脂の架橋密度の大小は、当該樹脂の弾性率の大小に相関しており、架橋密度が大きいほど弾性率が大きくなってより弾性変形し難いものとなり、架橋密度が小さいほど弾性率は小さくなってより弾性変形し易いものとなる。
【００６２】
したがって、概して、樹脂の耐久性の高低は、当該樹脂の弾性率の大小に相関することになり、弾性率が大きいほど（すなわち弾性変形し難い硬い樹脂ほど）耐久性は高くなり、弾性率が小さいほど（すなわち弾性変形し易い柔らかい樹脂ほど）耐久性は低くなる傾向にあると言える。
【００６３】
一方で、樹脂同士の接合面における接合力の大小も、これら接合面を構成する樹脂の弾性率に相関しており、弾性率が大きいほど（すなわち弾性変形し難い硬い樹脂ほど）接合力は小さくなり、弾性率が小さいほど（すなわち弾性変形し易い柔らかい樹脂ほど）接合力は大きくなる。これは、当該接合面に外部応力や熱履歴に伴った内部応力が加わった場合に、弾性率がより小さいほど当該接合面に加わる応力が緩和されることに起因する。
【００６４】
このように、樹脂の耐久性の高低と、樹脂同士の接合面における接合力の大小とは、いわゆるトレードオフの関係にあるため、本実施の形態においては、後述する検証試験の結果に基づき、これら接合介在部材４０とケーブル３０の硬さを後述する指標に基づいて律することとしている。
【００６５】
本実施の形態における近接センサ１Ａにおいては、接合介在部材４０が、その曲げ弾性率が８０ＭＰａ以上２１０ＭＰａ以下の樹脂にて構成されている。ここで、曲げ弾性率は、材料自体の硬さを表わす指標であり、当該曲げ弾性率が小さいほど応力による歪みが大きく、弾性変形し難い硬い部材であることを示す。ここで、本実施の形態においては、上述したように接合介在部材４０がフッ素系樹脂にて構成されているが、当該フッ素系樹脂の曲げ弾性率は、その具体的な組成によっても異なるが、上記の範囲に含まれるものとすることができる。
【００６６】
このように、接合介在部材４０を曲げ弾性率が８０ＭＰａ以上２１０ＭＰａ以下の樹脂にて構成することにより、当該接合介在部材４０が適度な硬さの部材にて構成されるため、水分のみならず油分や薬液等の液体が浸透し難い高い耐久性を備えた接合介在部材４０とすることができる。
【００６７】
また、上述したように、第２封止部６０をエポキシ樹脂にて構成するとともに、接合介在部材４０を曲げ弾性率が８０ＭＰａ以上２１０ＭＰａ以下の樹脂にて構成することにより、接合介在部材４０が適度な柔らかさの部材にて構成されるため、第２封止部６０と接合介在部材４０との接合面において十分な接合力が得られることになり、当該接合面において剥離が発生することが防止できる。
【００６８】
一方、本実施の形態における近接センサ１Ａにおいては、ケーブル３０が、後述する吊下げ偏平率が０．３０以上０．７１以下のものにて構成されている。ここで、吊下げ偏平率は、長尺部材の硬さを表わす指標であり、当該吊下げ偏平率が大きいほど弾性変形し易い柔らかい部材であることを示す。ここで、本実施の形態においては、上述したようにケーブル３０のシース３３がフッ素系樹脂にて構成されているが、当該シース３３をフッ素系樹脂にて構成したケーブルの吊下げ偏平率は、その具体的な構成によっても異なるが、上記の範囲に含まれるものとすることができる。
【００６９】
図５に示すように、ケーブル３０の吊下げ偏平率の測定に際しては、まず、測定すべきケーブル３０の全長を５００ｍｍとし、その両端を繋いでループ形状に構成する。次に、このループ形状のケーブル３０の内側に棒１００を挿入することにより、当該棒１００によってループ形状のケーブル３０を吊り下げる。さらに、棒１００によって吊り下げられた状態にあるループ形状のケーブル３０の下端部分に錘１１０を取付け、この錘１１０によって当該ケーブル３０の下端部分に鉛直下方に向けて１．５Ｎの荷重を作用させる。
【００７０】
これにより、ループ形状のケーブル３０の外形形状は、鉛直方向に長く水平方向に短い偏平形状を有することになるが、吊下げ偏平率は、この状態におけるループ形状のケーブル３０の鉛直方向に沿った内径（長径）ａおよび水平方向に沿った内径（短径）ｂを用いて（ａ−ｂ）／ａで求められる。
【００７１】
上述のように、ケーブル３０を吊下げ偏平率が０．３０以上０．７１以下のものにて構成することにより、当該ケーブル３０が適度な硬さの部材にて構成されるため、水分のみならず油分や薬液等の液体が浸透し難い高い耐久性を備えた接合介在部材４０とすることができる。
【００７２】
また、上述したように、接合介在部材４０を曲げ弾性率が８０ＭＰａ以上２１０ＭＰａ以下の樹脂にて構成するとともに、ケーブル３０を吊下げ偏平率が０．３０以上０．７１以下のものにて構成することにより、これら接合介在部材４０およびケーブル３０が適度な柔らかさの部材にて構成されるため、接合介在部材４０とケーブル３０との接合面において十分な接合力が得られることになり、当該接合面において剥離が発生することが防止できる。
【００７３】
したがって、本実施の形態における近接センサ１Ａとすることにより、第２封止部６０、ケーブル３０および接合介在部材４０の耐久性を確保しつつ、これらの接合面において剥離が発生することが防止できる耐環境性に特に優れた近接センサとすることができる。
【００７４】
なお、接合介在部材４０を曲げ弾性率が８０ＭＰａ未満の樹脂にて構成した場合には、相対的に厳しい環境下においては、当該接合介在部材４０が耐久性に劣ることとなってしまい、油分や薬液等の液体が浸透することで近接センサ１Ａの故障の原因となる。一方、接合介在部材４０を曲げ弾性率が２１０ＭＰａを超える樹脂にて構成した場合には、相対的に厳しい環境下においては、第２封止部６０と接合介在部材４０との接合面、および、接合介在部材４０とケーブル３０のシース３３との接合面において剥離が発生し易くなってしまい、水分や油分、薬液等が内部に侵入して近接センサ１Ａの故障の原因となる。
【００７５】
また、ケーブル３０を吊下げ偏平率が０．７１を超えるものにて構成した場合には、相対的に厳しい環境下においては、当該ケーブル３０が耐久性に劣ることとなってしまい、油分や薬液等の液体が浸透することで近接センサ１Ａの故障の原因となる。一方、ケーブル３０を吊下げ偏平率が０．３０未満のものにて構成した場合には、相対的に厳しい環境下においては、接合介在部材４０とケーブル３０のシース３３との接合面において剥離が発生し易くなってしまい、水分や油分、薬液等が内部に侵入して近接センサ１Ａの故障の原因となる。
【００７６】
加えて、本実施の形態における近接センサ１Ａにおいては、上述したように、接合介在部材４０およびケーブル３０のシース３３が、同一の樹脂であるフッ素系樹脂にて構成されている。このように接合介在部材４０とシース３３とを同一の樹脂にて構成することにより、接合介在部材４０のシース３３に対する接合（溶着）の際に、これらの表面が溶融することで接合介在部材４０とシース３３とが一体化し、結果として明確な界面が生じ難くなる。そのため、当該構成を採用すれば、界面が形成されないことによって当該接続部において剥離が発生し難くなる効果を得ることもできる。
【００７７】
図６および図７は、それぞれ本実施の形態における近接センサの製造方法を説明するためのフロー図および組付け図である。次に、これら図６および図７を参照して、本実施の形態における近接センサ１Ａの製造方法について説明する。
【００７８】
まず、図６に示すように、接合介在部材４０が製作される（工程ＳＴ１１）。より詳細には、筒状の基部４１および当該基部４１から延びる筒状の突出部４２を有することとなるように接合介在部材４０が形成される。当該接合介在部材４０の製作には、たとえば射出成形等、各種の方法が適用できる。
【００７９】
次に、図６および図７（Ａ）に示すように、ケーブル３０に接合介在部材４０が取付けられる（工程ＳＴ１２）。より詳細には、ケーブル３０のシース３３の端部に接合介在部材４０の基部４１が圧入されることにより、ケーブル３０に接合介在部材４０が取付けられる。これにより、基部４１によってシース３３の端部の外周面が覆われることになるとともに、突出部４２が基部４１から延びるように位置することになる。
【００８０】
次に、図６および図７（Ｂ）に示すように、ケーブル３０に接合介在部材４０が溶着される（工程ＳＴ１３）。より詳細には、シース３３に圧入された部分の基部４１に外部から熱が加えられることにより、当該部分（すなわち、図７（Ｂ）中において矢印Ａで示す部分）において熱溶着が行なわれる。なお、溶着は、熱伝導による熱溶着以外にも、レーザ照射等による溶着が利用可能である。
【００８１】
次に、図６および図７（Ｃ）に示すように、検知部組立体２０にケーブル３０が接続される（工程ＳＴ１４）。より詳細には、ケーブル３０の露出した導電線３１ａが回路基板２４のランド２４ａに対向するように配置され、この状態においてこれらの半田付けが行なわれる。
【００８２】
次に、図６および図７（Ｄ）に示すように、ケース１０に検知部組立体２０が組付けられる（工程ＳＴ１５）。より詳細には、ケース１０の前端部に検知部組立体２０が圧入されることにより、ケース１０に検知部組立体２０が組付けられる。
【００８３】
次に、図６および図７（Ｅ）に示すように、ケース１０および接合介在部材４０にクランプ５０が組付けられる（工程ＳＴ１６）。より詳細には、ケース１０の後端側の開口部にクランプ５０の固定部５１が圧入されるとともに、接合介在部材４０の基部４１がクランプ５０の後端部に圧入されることにより、ケース１０および接合介在部材４０にクランプ５０が組付けられる。
【００８４】
次に、図６に示すように、ケース１０およびクランプ５０の内部に液状樹脂が注入され、これが硬化される（工程ＳＴ１７）。より詳細には、図７（Ｅ）において矢印Ｂにて示す部分から、液状樹脂がクランプ５０のゲート５３ａを介して注入され、当該液状樹脂が硬化することにより、上述した構成の近接センサ１Ａが得られることになる。
【００８５】
なお、上記においては、ケーブル３０に接合介在部材４０が取付けられた後であって、検知部組立体２０にケーブル３０が接続される前において、ケーブル３０に接合介在部材４０が溶着される場合を例示したが、検知部組立体２０にケーブル３０が接続された後あるいはケース１０に検知部組立体２０が組付けられた後に、ケーブル３０に接合介在部材４０が溶着されてもよい。すなわち、工程ＳＴ１３は、工程ＳＴ１４と工程ＳＴ１５との間において実施されてもよく、また工程ＳＴ１５と工程ＳＴ１６との間において実施されてもよい。
【００８６】
さらには、上記においては、検知部組立体２０にケーブル３０が接続された後であって、ケース１０および接合介在部材４０にクランプ５０が組付けられる前において、ケース１０に検知部組立体２０が組付けられる場合を例示したが、検知部組立体２０にケーブル３０が接続される前に、ケース１０に検知部組立体２０が組付けられてもよい。すなわち、工程ＳＴ１５は、工程ＳＴ１４の前に実施されてもよい。
【００８７】
図８（Ａ）および図８（Ｂ）は、それぞれ、本実施の形態における近接センサにおいて、ケースに対するケーブルの接続部において高い接合力が確保できる理由を説明するための模式断面図、および、接合介在部材が固定されたケーブルの正面図である。また、図９は、図８（Ａ）に示す領域ＩＸの拡大断面図である。次に、これら図８および図９を参照して、本実施の形態における近接センサ１Ａにおいて、接合介在部材４０に上述した構成の突出部４２を設けることでさらに高い接合力が確保できる理由について説明する。なお、図８（Ａ）においては、理解を容易とするために、クランプ５０の構成を簡略化して描画している。
【００８８】
図８（Ａ）および図８（Ｂ）を参照して、上述したように、本実施の形態における近接センサ１Ａにおいては、ケーブル３０のシース３３の端部を覆うように設けられた接合介在部材４０に、厚みが十分に薄く構成された、シース３３の上記端部から突出して位置する略円筒状の突出部４２が設けられており、当該突出部４２の内周面および外周面ならびに当該突出部４２の軸方向における先端側の端面が、いずれも第２封止部６０によって覆われている。
【００８９】
このように構成することにより、第一に、第２封止部６０の硬化時において発生する残留応力の低減が図られることになる。これは、突出部４２が位置する分だけ、第２封止部６０の接合介在部材４０側の端部における第２封止部６０の樹脂量が減少するためである。
【００９０】
そのため、残留応力が低い分だけ、接合力が高く維持できることになり、結果としてケース１０に対するケーブル３０の接続部において高い接合力が確保できることになる。
【００９１】
また、第二に、環境温度の変化に伴う第２封止部６０の膨張および収縮の際に、突出部４２の追従性が確保できることになる。これは、接合介在部材４０の第２封止部６０に接合する部分である突出部４２の厚みが薄い分だけ、第２封止部６０の膨張および収縮の際に突出部４２が追従して弾性的に変形することが許容されることになるためである。
【００９２】
より詳細には、第２封止部６０に収縮が生じた場合には、図８（Ａ）において矢印Ｃに示すように、接合介在部材４０と第２封止部６０との界面の端部において局所的に大きな応力が加わることになるが、その際、図中に示す矢印Ｄ方向に突出部４２が追従して弾性的に変形することになるため、当該端部に加わる応力が大幅に緩和されることになり、当該界面において剥離が発生することが抑制できる。
【００９３】
そのため、第２封止部６０の膨張および収縮の際に、接合介在部材４０と第２封止部６０との界面に加わる応力が低減される分だけ、接合力が高く維持できることになり、結果としてケース１０に対するケーブル３０の接続部において高い接合力が確保できることになる。
【００９４】
このことは、当該構造を採用することにより、接合介在部材４０および第２封止部６０の材料選択の余地を高めることにもつながるため、本実施の形態における近接センサ１Ａとすることにより、製造上の各種の制約が軽減される効果も得られる。
【００９５】
加えて、図８（Ａ）および図９に示すように、本実施の形態における近接センサ１Ａにおいては、上述したように突出部４２の外周面に周方向に沿って延びる溝部４３が設けられている。このように構成することにより、上述したようにいわゆるアンカー効果が得られることになる。
【００９６】
より詳細には、図９に示すように、環境温度の変化に伴って第２封止部６０に収縮が生じた場合には、クランプ５０との接触面である第２封止部６０の外周面近傍に、図中において矢印Ｅで示す方向に収縮が発生し、これに伴って接合介在部材４０と第２封止部６０との界面において図中に示す矢印Ｆ方向に剪断応力が発生することになるが、上記溝部４３が突出部４２の外周面に位置していることにより、この剪断応力が突出部４２の先端部４２ａに達することが抑制でき、結果として当該界面において剥離が発生することが抑制できる。
【００９７】
以上において説明したように、接合介在部材４０に上述した構成の突出部４２を設けることにより、ケース１０に対するケーブル３０の接続部において高い接合力が確保できることになり、当該部分における剥離等の破損の発生が大幅に抑制でき、結果として耐環境性にさらに優れた近接センサとすることができる。
【００９８】
なお、図９を参照して、突出部４２の最も薄い部分における厚みｔ１は、０．３ｍｍ以上０．５ｍｍ以下であることが好ましい。より詳細には、突出部４２の周方向において、厚みｔ１が０．３ｍｍ以上０．５ｍｍ以下の部分を含んでいることが好ましい。このように構成することにより、突出部４２の弾性および剛性が適切に調整され、上述した追従性がより確実に得られることになる。しかしながら、当該突出部４２の厚みは、特にこれに限定されるものではない。
【００９９】
また、突出部４２の軸方向長さＬは、０．５ｍｍ以上とすることが好ましい。当該軸方向長さＬを０．５ｍｍ以上とすることにより、突出部４２の弾性および剛性が適切に調整され、上述した追従性がより確実に得られることになる。しかしながら、当該突出部４２の軸方向長さは、特にこれに限定されるものではない。
【０１００】
さらには、溝部４３の幅Ｗは、０．５ｍｍ以上とすることが好ましい。当該幅Ｗを０．５ｍｍ以上とすることにより、突出部４２の弾性および剛性が適切に調整され、上述した追従性がより確実に得られることになる。しかしながら、当該溝部４３の幅は、特にこれに限定されるものではない。
【０１０１】
また、上述したように、本実施の形態における近接センサ１Ａにおいては、突出部４２の外周面に周方向に延びる溝部４３を設けた場合を例示したが、当該形状とは異なる凹凸部を突出部４２の外周面および内周面のうちのいずれか一方または両方に設けることとしてもよいし、突出部４２の径方向に沿って貫通する孔や各種の切れ込み等を突出部４２に設けてもよい。このように構成した場合にも、上述したいわゆるアンカー効果を得ることができる。
【０１０２】
また、上述したように、本実施の形態における近接センサ１Ａにおいては、突出部４２が略円筒状である場合を例示したが、当該突出部４２の外形は、筒状であればどのような形状であってもよく、たとえばその外形が多角筒状であってもよし、その外形が楕円筒状であってもよい。
【０１０３】
また、上述したように、本実施の形態における近接センサ１Ａにおいては、接合介在部材４０の基部４１がケーブル３０のシース３３に溶着されることにより、接合介在部材４０がケーブル３０に接合されている。ここで、溶着は、一般的に接合する部材同士の融点の差がおおよそ５０℃以下の範囲である場合に、容易にその溶着を行なうことができる。したがって、本実施の形態の如くに接合介在部材４０とケーブル３０のシース３３とを同一の樹脂にて構成する場合には、容易にその溶着が行なえることになるが、これら接合介在部材４０とケーブル３０のシース３３とを異なる樹脂にて構成する場合には、上述した融点の差を考慮して樹脂の選択を行なうことが必要である。
【０１０４】
なお、図８を参照して、接合介在部材４０をシース３３に溶着することで形成される接合介在部材４０の溶着部４１ａの厚みｔ２は、当該部分における封止性を考慮して設定される必要がある。そのため、基部４１のうちの溶着部４１ａとなる部分の溶着前の厚みは、おおよそ０．３ｍｍ以上０．５ｍｍ以下とすることが好ましい。
【０１０５】
また、上述したように、本実施の形態においては、接合介在部材４０の基部４１がケーブル３０の上記一端側に位置するシース３３の端部に固定された場合を例示して説明を行なったが、必ずしもこのように構成する必要はなく、シース３３の上記端部から離れた位置においてシース３３に固定されていてもよい。すなわち、接合介在部材は、シースの外周面を覆う筒状の基部と、ケーブルの上記一端側に向けて突出する筒状の突出部とを有していればよく、シースの上記端部と基部との位置関係ならびにシースの上記端部と突出部との位置関係は、種々その変更が可能である。
【０１０６】
（第１変形例）
図１０は、本実施の形態に基づいた第１変形例に係る近接センサの要部拡大断面図である。以下、この図１０を参照して、第１変形例に係る近接センサ１Ｂについて説明する。
【０１０７】
図１０に示すように、本第１変形例に係る近接センサ１Ｂは、上述した実施の形態１における近接センサ１Ａと比較した場合に、接合介在部材４０が突出部４２を有しておらず、代わりにシース３３およびシールド材３２の端面を覆うように蓋部４４が設けられてなるものである。ここで、接合介在部材４０の曲げ弾性率およびケーブル３０の吊下げ偏平率は、いずれも上述した実施の形態１のそれらと同じである。
【０１０８】
このように構成された近接センサ１Ｂは、上述した実施の形態１における近接センサ１Ａと比較した場合に、第２封止部６０の硬化時において発生する残留応力の低減、ならびに、環境温度の変化に伴う第２封止部６０の膨張および収縮の際の接合介在部材４０の追従性の点において劣ることにはなるものの、上述した実施の形態１の場合と同様に、第２封止部６０、ケーブル３０および接合介在部材４０の耐久性を確保しつつ、ケース１０に対するケーブル３０の接続部において高い接合力が確保できることになり、当該部分における剥離等の破損の発生が大幅に抑制でき、結果として耐環境性に特に優れたものとなる。
【０１０９】
（第２変形例）
図１１は、本実施の形態に基づいた第２変形例に係る近接センサの要部拡大断面図である。以下、この図１１を参照して、第２変形例に係る近接センサ１Ｃについて説明する。
【０１１０】
図１１に示すように、本第２変形例に係る近接センサ１Ｃは、上述した実施の形態１における近接センサ１Ａと比較した場合に、接合介在部材４０が基部４１および突出部４２に加えて、シース３３およびシールド材３２の端面を覆う蓋部４４をさらに有している点においてのみ相違している。ここで、接合介在部材４０の曲げ弾性率およびケーブル３０の吊下げ偏平率は、いずれも上述した実施の形態１のそれらと同じである。
【０１１１】
このように構成された近接センサ１Ｃは、上述した実施の形態１の場合と同様に、第２封止部６０の硬化時において発生する残留応力の低減、ならびに、環境温度の変化に伴う第２封止部６０の膨張および収縮の際の突出部４２の追従性の点において優れたものになるとともに、第２封止部６０、ケーブル３０および接合介在部材４０の耐久性を確保しつつ、ケース１０に対するケーブル３０の接続部において高い接合力が確保できることになり、当該部分における剥離等の破損の発生が大幅に抑制でき、結果として耐環境性に特に優れたものとなる。
【０１１２】
（第３変形例）
図１２は、本実施の形態に基づいた第３変形例に係る近接センサの要部拡大断面図である。以下、この図１２を参照して、第３変形例に係る近接センサ１Ｄについて説明する。
【０１１３】
図１２に示すように、本第３変形例に係る近接センサ１Ｄは、上述した実施の形態１における近接センサ１Ａと比較した場合に、接合介在部材４０の突出部４２に溝部４３が設けられていない点においてのみ相違している。ここで、接合介在部材４０の曲げ弾性率およびケーブル３０の吊下げ偏平率は、いずれも上述した実施の形態１のそれらと同じである。
【０１１４】
このように構成された近接センサ１Ｄは、上述した実施の形態１の場合と同様に、第２封止部６０の硬化時において発生する残留応力の低減、ならびに、環境温度の変化に伴う第２封止部６０の膨張および収縮の際の突出部４２の追従性の点において優れたものになるとともに、第２封止部６０、ケーブル３０および接合介在部材４０の耐久性を確保しつつ、ケース１０に対するケーブル３０の接続部において高い接合力が確保できることになり、当該部分における剥離等の破損の発生が大幅に抑制でき、結果として耐環境性に特に優れたものとなる。
【０１１５】
（第４変形例）
図１３は、本実施の形態に基づいた第４変形例に係る近接センサの要部拡大断面図である。以下、この図１３を参照して、第４変形例に係る近接センサ１Ｅについて説明する。
【０１１６】
図１３に示すように、本第４変形例に係る近接センサ１Ｅは、上述した第３変形例に係る近接センサ１Ｄと比較した場合に、接合介在部材４０の基部４１が、ケーブル３０のシース３３の端部から突出した部分を殆ど含んでおらず、シース３３の端面が位置する部分に対応する部分の基部４１から連続して延びるように突出部４２が設けられている点においてのみ相違している。ここで、接合介在部材４０の曲げ弾性率およびケーブル３０の吊下げ偏平率は、いずれも上述した実施の形態１のそれらと同じである。
【０１１７】
このように構成された近接センサ１Ｅは、上述した実施の形態１の場合と同様に、第２封止部６０の硬化時において発生する残留応力の低減、ならびに、環境温度の変化に伴う第２封止部６０の膨張および収縮の際の突出部４２の追従性の点において優れたものになるとともに、第２封止部６０、ケーブル３０および接合介在部材４０の耐久性を確保しつつ、ケース１０に対するケーブル３０の接続部において高い接合力が確保できることになり、当該部分における剥離等の破損の発生が大幅に抑制でき、結果として耐環境性に特に優れたものとなる。
【０１１８】
（第５変形例）
図１４は、本実施の形態に基づいた第５変形例に係る近接センサの要部拡大断面図である。以下、この図１４を参照して、第５変形例に係る近接センサ１Ｆについて説明する。
【０１１９】
図１４に示すように、本第５変形例に係る近接センサ１Ｆは、上述した第４変形例に係る近接センサ１Ｅと比較した場合に、接合介在部材４０の基部４１と突出部４２とが、ほぼ同じ大きさの外形を有している点において相違し、さらにこれに伴い、突出部４２に対応する部分のクランプ５０の内径が、基部４１に対応する部分のクランプ５０の内径よりも大きく構成されている点において相違している。ここで、接合介在部材４０の曲げ弾性率およびケーブル３０の吊下げ偏平率は、いずれも上述した実施の形態１のそれらと同じである。
【０１２０】
このように構成された近接センサ１Ｆは、上述した実施の形態１の場合と同様に、第２封止部６０の硬化時において発生する残留応力の低減、ならびに、環境温度の変化に伴う第２封止部６０の膨張および収縮の際の突出部４２の追従性の点において優れたものになるとともに、第２封止部６０、ケーブル３０および接合介在部材４０の耐久性を確保しつつ、ケース１０に対するケーブル３０の接続部において高い接合力が確保できることになり、当該部分における剥離等の破損の発生が大幅に抑制でき、結果として耐環境性に特に優れたものとなる。
【０１２１】
（実施の形態２）
図１５および図１６は、それぞれ本発明の実施の形態２における近接センサの製造方法を説明するためのフロー図および組付け図である。以下、図１５および図１６を参照して、本実施の形態における近接センサの製造方法について説明する。
【０１２２】
なお、本実施の形態における近接センサは、後述するように、その製造方法が上述した実施の形態１における近接センサ１Ａの製造方法と僅かに相違しているため、これに伴ってその形状も若干相違するものであるが、その具体的な形態は、図１６の組付け図においておおよそ明らかであるため、ここでは、その図示を省略している。
【０１２３】
まず、図１５に示すように、接合介在部材４０が製作され（工程ＳＴ２１）、次に、ケーブル３０に接合介在部材４０が取付けられ（工程ＳＴ２２）、次に、ケーブル３０に接合介在部材４０が溶着され（工程ＳＴ２３）、次に、検知部組立体２０にケーブル３０が接続され（工程ＳＴ２４）、次に、ケース１０に検知部組立体２０が組付けられる（工程ＳＴ２５）。なお、これら工程ＳＴ２１〜ＳＴ２５の詳細は、上述した図６において示した工程ＳＴ１１〜ＳＴ１５とそれぞれ同様であるため、ここではその説明は繰り返さない。
【０１２４】
次に、図１５および図１６（Ａ）に示すように、ケース１０にクランプ５０が組付けられる（工程ＳＴ２６）。より詳細には、ケース１０の後端側の開口部にクランプ５０の固定部５１が圧入される。
【０１２５】
次に、図１５および図１６（Ｂ）に示すように、クランプ５０に接合介在部材４０が組付けられる（工程ＳＴ２７）。より詳細には、接合介在部材４０の基部４１がクランプ５０の後端部に圧入されることにより、接合介在部材４０にクランプ５０が組付けられる。
【０１２６】
次に、図１５に示すように、ケース１０およびクランプ５０の内部に液状樹脂が注入され、これが硬化される（工程ＳＴ２８）。なお、この工程ＳＴ２８の詳細は、上述した図６において示した工程ＳＴ１７と同様であるため、ここではその説明は繰り返さない。以上により、上述した実施の形態１における近接センサ１Ａに準じた構成の本実施の形態における近接センサが得られることになる。
【０１２７】
なお、上記においては、ケーブル３０に接合介在部材４０が取付けられた後であって、検知部組立体２０にケーブル３０が接続される前において、ケーブル３０に接合介在部材４０が溶着される場合を例示したが、検知部組立体２０にケーブル３０が接続された後から近接センサが完成するまでのいずれのタイミングにおいてケーブル３０に接合介在部材４０が溶着されてもよい。すなわち、工程ＳＴ２３は、工程ＳＴ２４以降であれば工程ＳＴ２４〜ＳＴ２８のいずれの後に実施されてもよい。
【０１２８】
さらには、上記においては、検知部組立体２０にケーブル３０が接続された後であって、ケース１０にクランプ５０が組付けられる前において、ケース１０に検知部組立体２０が組付けられる場合を例示したが、検知部組立体２０にケーブル３０が接続される前に、ケース１０に検知部組立体２０が組付けられてもよい。すなわち、工程ＳＴ２５は、工程ＳＴ２４の前に実施されてもよい。
【０１２９】
以上において説明した本実施の形態における近接センサとした場合にも、上述した実施の形態１の場合と同様に、第２封止部６０の硬化時において発生する残留応力の低減、ならびに、環境温度の変化に伴う第２封止部６０の膨張および収縮の際の突出部４２の追従性の点において優れたものになるとともに、第２封止部６０、ケーブル３０および接合介在部材４０の耐久性を確保しつつ、ケース１０に対するケーブル３０の接続部において高い接合力が確保できることになり、当該部分における剥離等の破損の発生が大幅に抑制でき、結果として耐環境性に特に優れたものとなる。
【０１３０】
（検証試験）
図１７は、検証試験の試験条件および試験結果を示す表である。本検証試験においては、接合介在部材の曲げ弾性率およびケーブルの吊下げ偏平率を種々変更した複数の近接センサを実際に試作し、これらにおいてどの程度の耐環境性が得られるかを確認したものである。ここで、接合介在部材の曲げ弾性率は、使用する接合介在部材の樹脂の種類を変えることで変更することとし、ケーブルの吊下げ偏平率は、使用するケーブルの直径や使用するケーブルのシースの樹脂の種類を変えることで変更した。なお、実際に試作した複数の近接センサの構造は、上述した第１変形例に係る近接センサ１Ｂ（図１０参照）の如くとした。
【０１３１】
図１７に示すように、検証試験においては、検証例１〜７の７種類の近接センサを準備した。これら検証例１〜７に係る近接センサは、いずれもケースおよびクランプによって規定される内部の空間が封止部としてのエポキシ樹脂によって充填されたものであり、当該エポキシ樹脂の曲げ弾性率は、おおよそ８０００ＭＰａである。
【０１３２】
検証例１に係る近接センサは、接合介在部材がフッ素系樹脂にて構成されたものであり、当該フッ素系樹脂の曲げ弾性率は、５４０〜６４０ＭＰａである。また、検証例１に係る近接センサは、ケーブルのシースがフッ素系樹脂にて構成されたものであり、その吊下げ偏平率は、０．４５である。なお、接合介在部材に用いたフッ素樹脂と、ケーブルのシースに用いたフッ素系樹脂とは、その組成が異なっている。
【０１３３】
検証例２に係る近接センサは、接合介在部材がフッ素系樹脂にて構成されたものであり、当該フッ素系樹脂の曲げ弾性率は、５４０〜６４０ＭＰａである。また、検証例２に係る近接センサは、ケーブルのシースがフッ素系樹脂にて構成されたものであり、その吊下げ偏平率は、０．１５である。なお、接合介在部材に用いたフッ素樹脂と、ケーブルのシースに用いたフッ素系樹脂とは、その組成が異なっている。
【０１３４】
検証例３に係る近接センサは、接合介在部材がフッ素系樹脂にて構成されたものであり、当該フッ素系樹脂の曲げ弾性率は、２１０ＭＰａである。また、検証例３に係る近接センサは、ケーブルのシースがフッ素系樹脂にて構成されたものであり、その吊下げ偏平率は、０．１５である。なお、接合介在部材に用いたフッ素樹脂と、ケーブルのシースに用いたフッ素系樹脂とは、その組成が異なっている。
【０１３５】
検証例４に係る近接センサは、接合介在部材がフッ素系樹脂にて構成されたものであり、当該フッ素系樹脂の曲げ弾性率は、２１０ＭＰａである。また、検証例４に係る近接センサは、ケーブルのシースがフッ素系樹脂にて構成されたものであり、その吊下げ偏平率は、０．５２である。なお、接合介在部材に用いたフッ素樹脂と、ケーブルのシースに用いたフッ素系樹脂とは、その組成が同じである。
【０１３６】
検証例５に係る近接センサは、接合介在部材がフッ素系樹脂にて構成されたものであり、当該フッ素系樹脂の曲げ弾性率は、２１０ＭＰａである。また、検証例５に係る近接センサは、ケーブルのシースがフッ素系樹脂にて構成されたものであり、その吊下げ偏平率は、０．４４である。なお、接合介在部材に用いたフッ素樹脂と、ケーブルのシースに用いたフッ素系樹脂とは、その組成が異なっている。
【０１３７】
検証例６に係る近接センサは、接合介在部材がフッ素系樹脂にて構成されたものであり、当該フッ素系樹脂の曲げ弾性率は、２１０ＭＰａである。また、検証例６に係る近接センサは、ケーブルのシースがフッ素系樹脂にて構成されたものであり、その吊下げ偏平率は、０．３０である。なお、接合介在部材に用いたフッ素樹脂と、ケーブルのシースに用いたフッ素系樹脂とは、その組成が同じである。
【０１３８】
検証例７に係る近接センサは、接合介在部材がフッ素系樹脂にて構成されたものであり、当該フッ素系樹脂の曲げ弾性率は、８０ＭＰａである。また、検証例７に係る近接センサは、ケーブルのシースがフッ素系樹脂にて構成されたものであり、その吊下げ偏平率は、０．７１である。なお、接合介在部材に用いたフッ素樹脂と、ケーブルのシースに用いたフッ素系樹脂とは、その組成が異なっている。
【０１３９】
当該検証試験においては、検証例１〜７の７種類の近接センサを、所定温度に加温した水溶性切削油（ＪＩＳ  Ａ１種クーラント、ならびに、ＪＩＳ  Ａ３種クーラント）に所定時間浸漬し、その後において接合部の絶縁抵抗値を測定することで、接合介在部材およびケーブルの耐久性（耐油性）を確認し、さらにその後、ケーブルのクランプから引き出された部分の根元を約９０°に複数回屈曲させ、その後の検査によって接合面に剥離が生じていないかを確認することで、各部材間の接合力が十分であるかを確認した。
【０１４０】
なお、評価に際しては、接合介在部材およびケーブルに耐久性が有り、かつ、各部材間の接合力が十分である場合に、これを「良」と判定し、接合介在部材およびケーブルに耐久性がないか、あるいは、各部材間の接合力が不十分である場合に、これを「不可」と判定した。
【０１４１】
図１７に示す試験結果から明らかなように、接合介在部材を構成する樹脂の曲げ弾性率が８０ＭＰａ以上２１０ＭＰａ以下であり、かつ、ケーブルの吊下げ偏平率が０．３０以上０．７１以下である検証例４〜７において、いずれも、接合介在部材およびケーブルに耐久性が有り、かつ、各部材間の接合力が十分であることが確認された。一方、上記条件を満たさない検証例１〜３において、接合介在部材およびケーブルに耐久性がある反面、各部材間の接合力は不十分であることが確認された。
【０１４２】
以上の試験結果に基づけば、ケースおよびクランプによって規定される内部の空間が封止部としてのエポキシ樹脂によって充填されるとともに、接合介在部材を構成する樹脂の曲げ弾性率が８０ＭＰａ以上２１０ＭＰａ以下であり、かつ、ケーブルの吊下げ偏平率が０．３０以上０．７１以下である場合に、封止部、ケーブルおよび接合介在部材の耐久性を確保しつつ、これらの接合面において剥離が発生することが防止できる耐環境性に特に優れた電子機器となることが理解できる。
【０１４３】
上述した本発明の実施の形態１および２ならびにその変形例においては、接合介在部材をケーブルに溶着により固定する場合を例示して説明を行なったが、必ずしもそのように構成する必要はない。たとえば、ケーブルのシースの端部に液状樹脂をインサート成形することで接合介在部材を設けることとしてもよい。
【０１４４】
また、上述した本発明の実施の形態１および２ならびにその変形例においては、ケースから引き出されるケーブルとして、シールド材を備えた複合ケーブルを用いた場合を例示して説明を行なったが、ケーブルとしては各種のものが利用でき、たとえば上述したシールド材を含まない複合ケーブルや、導電線とこれを被覆するシースとのみからなるケーブル（いわゆるリード線等）にも本発明を適用することが可能である。
【０１４５】
また、上述した本発明の実施の形態１および２ならびにその変形例においては、ケースおよびクランプによって規定される内部の空間が、第１封止部と第２封止部とによって充填されてなる場合を例示して説明を行なったが、必ずしもこのように構成する必要はなく、単一の封止部のみによって充填されていてもよい。
【０１４６】
また、上述した本発明の実施の形態１および２ならびにその変形例においては、接合介在部材が単一の部品にて構成された場合を例示して説明を行なったが、これが複数の部品にて構成されていてもよく、また二色成形品であってもよい。
【０１４７】
また、上述した本発明の実施の形態１および２ならびにその変形例においては、近接センサに本発明を適用した場合を例示して説明を行なったが、本発明は、近接センサ以外のセンサやセンサ以外の各種の電子機器にも、当然にその適用が可能である。
【０１４８】
このように、今回開示した上記実施の形態およびその変形例はすべての点で例示であって、制限的なものではない。本発明の技術的範囲は特許請求の範囲によって画定され、また特許請求の範囲の記載と均等の意味および範囲内でのすべての変更を含むものである。
【符号の説明】
【０１４９】
１Ａ〜１Ｆ  近接センサ、１０  ケース、２０  検知部組立体、２１  コア、２１ａ  支持溝、２２  検知コイル、２３  コイルケース、２４  回路基板、２４ａ  ランド、２５ａ〜２５ｃ  電子部品、２６  第１封止部、３０  ケーブル、３１  芯線、３１ａ  導電線、３２  シールド材、３３  シース、４０  接合介在部材、４１  基部、４１ａ  溶着部、４２  突出部、４２ａ  先端部、４３  溝部、４４  蓋部、５０  クランプ、５１  固定部、５２  保持部、５３  連結部、５３ａ  ゲート、５３ｂ  導光部、６０  第２封止部、１００  棒、１１０  錘。
【図１】
2017092354.tif 000003
【図２】
2017092354.tif 000004
【図３】
2017092354.tif 000005
【図４】
2017092354.tif 000006
【図５】
2017092354.tif 000007
【図６】
2017092354.tif 000008
【図７】
2017092354.tif 000009
【図８】
2017092354.tif 000010
【図９】
2017092354.tif 000011
【図１０】
2017092354.tif 000012
【図１１】
2017092354.tif 000013
【図１２】
2017092354.tif 000014
【図１３】
2017092354.tif 000015
【図１４】
2017092354.tif 000016
【図１５】
2017092354.tif 000017
【図１６】
2017092354.tif 000018
【図１７】
2017092354.tif 000019